(57)【要約】【課題】配線長が異なる照明機器間における明るさのバラツキを軽減すること。【解決手段】実施形態に係る調光装置は、変換部と、印加部とを具備する。変換部は、調光度を示す調光信号を電圧値に変換する。印加部は、電圧値に応じた調光度で点灯する複数の照明機器が接続された配線に対し、変換部によって変換された電圧値の直流電圧を印可する。また、変換部は、調光度を横軸、電圧値を縦軸とした場合に、区間の始点と終点とを結ぶ直線の傾きが第１の傾きとなる第１区間と、第１区間に続く区間であって、区間の始点と終点とを結ぶ直線の傾きが第１の傾きよりも大きい第２の傾きとなる第２区間とを含む調光特性に従って調光信号を電圧値に変換する。【選択図】図４
2020053349.tif 000002
【特許請求の範囲】
【請求項１】
調光度を示す調光信号を電圧値に変換する変換部と；
電圧値に応じた調光度で点灯する複数の照明機器が接続された配線に対し、前記変換部によって変換された電圧値の直流電圧を印可する印加部と；
を具備し、
前記変換部は、前記調光度を横軸、前記電圧値を縦軸とした場合に、区間の始点と終点とを結ぶ直線の傾きが第１の傾きとなる第１区間と、前記第１区間に続く区間であって、区間の始点と終点とを結ぶ直線の傾きが前記第１の傾きよりも大きい第２の傾きとなる第２区間とを含む調光特性に従って前記調光信号を前記電圧値に変換する
ことを特徴とする調光装置。
【請求項２】
前記第２区間の始点における前記電圧値は、前記複数の照明機器のうち前記調光装置からの配線長が最も短い照明機器が１００％の調光度で点灯する電圧値である
ことを特徴とする請求項１に記載の調光装置。
【請求項３】
前記第２区間の終点における前記電圧値は、前記複数の照明機器のうち前記調光装置からの配線長が最も長い照明機器が１００％の調光度で点灯する電圧値である
ことを特徴とする請求項１または２に記載の調光装置。
【請求項４】
前記複数の照明機器のうち前記調光装置からの配線長が最も短い照明機器と前記調光装置との間の配線長および前記複数の照明機器のうち前記調光装置からの配線長が最も長い照明機器と前記調光装置との間の配線長の少なくとも一方に基づき、前記第２区間を調整する制御部；
を具備することを特徴とする請求項１〜３のいずれか一つに記載の調光装置。
【請求項５】
前記第２区間における前記調光特性は、始点における前記電圧値を最小値とし、終点における前記電圧値を最大値とする上に凸の弧で表される
ことを特徴とする請求項１〜４のいずれか一つに記載の調光装置。
【請求項６】
前記第２区間における前記調光特性は、始点における前記電圧値を最小値とし、終点における前記電圧値を最大値とする下に凸の弧で表される
ことを特徴とする請求項１〜４のいずれか一つに記載の調光装置。
【発明の詳細な説明】
【技術分野】
【０００１】
本発明の実施形態は、調光装置に関する。
【背景技術】
【０００２】
従来、ＬＥＤ（Light  Emitting  Diode）照明に対して直流電圧を供給することによってＬＥＤ照明の駆動および調光を行う調光装置が知られている。
【先行技術文献】
【特許文献】
【０００３】
【特許文献１】特許第５０５８７７８号公報
【発明の概要】
【発明が解決しようとする課題】
【０００４】
しかしながら、上記した従来技術では、調光装置とＬＥＤ照明とを接続する配線において、配線長に応じた電圧降下が生じることから、配線長が異なるＬＥＤ照明間で明るさにバラツキが生じるおそれがある。
【０００５】
本発明が解決しようとする課題は、配線長が異なる照明機器間における明るさのバラツキを軽減することである。
【課題を解決するための手段】
【０００６】
実施形態に係る調光装置は、変換部と、印加部とを具備する。変換部は、調光度を示す調光信号を電圧値に変換する。印加部は、電圧値に応じた調光度で点灯する複数の照明機器が接続された配線に対し、変換部によって変換された電圧値の直流電圧を印可する。また、変換部は、調光度を横軸、電圧値を縦軸とした場合に、区間の始点と終点とを結ぶ直線の傾きが第１の傾きとなる第１区間と、第１区間に続く区間であって、区間の始点と終点とを結ぶ直線の傾きが第１の傾きよりも大きい第２の傾きとなる第２区間とを含む調光特性に従って調光信号を電圧値に変換する。
【発明の効果】
【０００７】
本発明によれば、配線長が異なる照明機器間における明るさのバラツキを軽減することができる。
【図面の簡単な説明】
【０００８】
【図１】図１は、実施形態に係る照明システムの概略構成の一例を示す図である。
【図２】図２は、実施形態に係る照明システムの具体的な構成の一例を示す図である。
【図３】図３は、電圧降下によって照明機器間で明るさにバラツキが生じる様子の一例を示した図である。
【図４】図４は、実施形態に係る調光カーブの一例を示す図である。
【図５Ａ】図５Ａは、第２区間において調光度をＤ１（９５％）からＤ２（１００％）に上昇させる場合における調光制御の一例を示す図である。
【図５Ｂ】図５Ｂは、第２区間において調光度をＤ１（９５％）からＤ２（１００％）に上昇させる場合における調光制御の一例を示す図である。
【図５Ｃ】図５Ｃは、第２区間において調光度をＤ１（９５％）からＤ２（１００％）に上昇させる場合における調光制御の一例を示す図である。
【図６Ａ】図６Ａは、第２区間における調光カーブの変形例を示す図である。
【図６Ｂ】図６Ｂは、第２区間における調光カーブの変形例を示す図である。
【発明を実施するための形態】
【０００９】
以下、図面を参照して、実施形態に係る調光装置を説明する。実施形態において同一の機能を有する構成には同一の符号を付し、重複する説明は省略する。なお、以下の実施形態で説明する調光装置は、一例を示すに過ぎず、実施形態を限定するものではない。たとえば、以下の実施形態では、調光装置は、劇場や映画館等といった各種施設に設置されるものとするが、これらの施設以外にも、公民館等の公共機関やビルディング等、任意の施設に設置可能であるものとする。なお、以下の各実施形態は、矛盾しない範囲内で適宜組みあわせてもよい。
【００１０】
以下に説明する実施形態に係る調光装置２０は、変換部２１と、印加部２２とを具備する。変換部２１は、調光度を示す調光信号を電圧値に変換する。印加部２２は、電圧値に応じた調光度で点灯する複数の照明機器１００ａ〜１００ｃ（以下、「照明機器１００」と総称する場合がある）が接続された配線３０に対し、変換部２１によって変換された電圧値の直流電圧を印可する。また、変換部２１は、調光度を横軸、電圧値を縦軸とした場合に、区間の始点Ｐ０と終点Ｐ１とを結ぶ直線の傾きが第１の傾きとなる第１区間と、第１区間に続く区間であって、区間の始点Ｐ１と終点Ｐ２とを結ぶ直線の傾きが第１の傾きよりも大きい第２の傾きとなる第２区間とを含む調光特性（たとえば、調光カーブ）に従って調光信号を電圧値に変換する。
【００１１】
また、以下に説明する実施形態に係る調光装置２０において、第２区間の始点Ｐ１における電圧値Ｖ１は、複数の照明機器１００のうち調光装置２０からの配線長が最も短い照明機器（たとえば、照明機器１００ａ）が１００％の調光度で点灯する電圧値である。
【００１２】
また、以下に説明する実施形態に係る調光装置２０において、第２区間の終点Ｐ２における電圧値Ｖ２は、複数の照明機器１００のうち調光装置２０からの配線長が最も長い照明機器（たとえば、照明機器１００ｃ）が１００％の調光度で点灯する電圧値である。
【００１３】
また、以下に説明する実施形態に係る調光装置２０は、複数の照明機器１００のうち調光装置２０からの配線長が最も短い照明機器（たとえば、照明機器１００ａ）と調光装置２０との間の配線長および複数の照明機器１００のうち調光装置２０からの配線長が最も長い照明機器（たとえば、照明機器１００ｃ）と調光装置２０との間の配線長の少なくとも一方に基づき、第２区間を調整する制御部２３を具備する。
【００１４】
また、以下に説明する実施形態に係る調光装置２０において、第２区間における調光特性（たとえば、調光カーブ）は、始点Ｐ１における電圧値Ｖ１を最小値とし、終点Ｐ２における電圧値Ｖ２を最大値とする上に凸の弧で表される。
【００１５】
また、以下に説明する実施形態に係る調光装置２０において、第２区間における調光特性（たとえば、調光カーブ）は、始点Ｐ１における電圧値Ｖ１を最小値とし、終点Ｐ２における電圧値Ｖ２を最大値とする下に凸の弧で表される。
【００１６】
以下に、本発明に係る実施形態を図面に基づき説明する。なお、以下に示す実施形態は、本発明が開示する技術を限定するものではない。
【００１７】
［実施形態］
＜照明システムの概略について＞
まず、実施形態に係る調光装置を含む照明システムの概略について図１を参照して説明する。図１は、実施形態に係る照明システムの概略構成の一例を示す図である。
【００１８】
図１に示すように、実施形態に係る照明システム１は、照明制御装置１０と、調光装置２０と、配線３０と、複数の照明機器１００ａ〜１００ｃとを含む。
【００１９】
照明制御装置１０は、調光卓や制御卓と呼ばれる装置により実現され、操作者による操作に基づいて複数の照明機器１００の制御を行う。たとえば、照明制御装置１０は、プリセットフェーダやフェーダ、ボタン等の操作部を有し、操作部を介して操作者から照明機器１００の調光度の変更操作を受付けた場合に、変更後の調光度を示す調光信号を照明制御装置１０に出力する。
【００２０】
調光装置２０は、たとえば、照明機器１００から離隔して配置される分電盤等により実現される。調光装置２０は、照明制御装置１０から入力される調光信号に基づいて照明機器１００の調光度を制御する。具体的には、調光装置２０は、調光信号を電圧値に変換し、変換した電圧値の直流電圧を生成して配線３０へ印加する。
【００２１】
照明機器１００は、配線３０を介して供給される直流電圧を駆動源とする照明機器である。照明機器１００は、たとえばＬＥＤ光源を有するＬＥＤ照明であり、配線３０を介して供給される直流電圧を駆動源とし、供給された直流電力の電圧値に応じた調光度でＬＥＤ光源を点灯させる。照明機器１００は、たとえば舞台施設等に設置され、客席、廊下、誘導灯、エントランス等を照明する。
【００２２】
＜照明システムの具体的な構成例について＞
次に、照明システム１の具体的な構成の一例について図２を参照して説明する。図２は、実施形態に係る照明システム１の具体的な構成の一例を示す図である。
【００２３】
まず、照明制御装置１０の構成例について説明する。図２に示すように、照明制御装置１０は、通信部１１と、表示部１２と、制御部１３と、操作部１４とを備える。
【００２４】
通信部１１は、調光装置２０との間における通信インタフェースである。たとえば、通信部１１は、ＤＭＸ端子等を含んで構成され、調光装置２０に対してＤＭＸ信号を出力する。ＤＭＸ信号は、ＤＭＸ規格に準拠した信号であり、調光信号の一例である。なお、通信部１１は、ＤＭＸ信号に代えて、たとえば、ＤＡＬＩ（Digital  Addressable  Lighting  Interface）に準拠した信号を調光信号として出力してもよい。
【００２５】
表示部１２は、調光制御に関する各種の情報を表示するための表示装置であり、たとえば、液晶パネル等により実現される。たとえば、表示部１２は、制御部１３の制御により、照明機器１００の調光度や、照明機器１００とフェーダとの対応等を表示する。
【００２６】
制御部１３は、各種の情報処理を実行する演算装置であり、たとえば、ＣＰＵ（Central  Processing  Unit）、ＭＰＵ（Micro  Processing  Unit）等の電子回路や、ＡＳＩＣ（Application  Specific  Integrated  Circuit）、ＦＰＧＡ（Field  Programmable  Gate  Array）等の集積回路を採用できる。たとえば、制御部１３は、照明機器１００の調光度を変更する操作が操作部１４に対して行われた場合に、通信部１１を介して、変更後の調光度を示す調光信号を調光装置２０へ出力する。
【００２７】
操作部１４は、たとえば、フェーダ等を含んで構成され、調光度の変更等、照明機器１００に対する制御を受付ける。
【００２８】
つづいて、調光装置２０の構成例について説明する。調光装置２０は、変換部２１と、印加部２２と、制御部２３と、記憶部２４とを備える。
【００２９】
変換部２１は、照明制御装置１０から入力された調光信号を電圧値に変換する。たとえば、変換部２１は、ＤＭＸ−ＰＷＭ変換器と、ＰＷＭ−ＤＣ変換器とを含んで構成される。ＤＭＸ−ＰＷＭ変換器は、照明制御装置１０からＤＭＸ信号が入力された場合に、ＤＭＸ信号が示す調光度に対応する波形のＰＷＭ信号を生成してＰＷＭ−ＤＣ変換器に出力する。ＰＷＭ−ＤＣ変換器は、ＤＭＸ−ＰＷＭ変換器からＰＷＭ信号が入力された場合に、ＰＷＭ信号が示す調光度で照明機器１００を点灯させるための直流電圧を配線３０に印加するよう印加部２２に指示する。たとえば、ＰＷＭ−ＤＣ変換器は、ＰＷＭ信号に対応する電圧値を示すＤＣ信号を生成して印加部２２に出力する。
【００３０】
変換部２１は、上記構成に限定されず、たとえば、照明制御装置１０から入力されたＤＭＸ信号をＤＣ信号に直接変換するＤＭＸ−ＤＣ変換器を含んで構成されてもよい。
【００３１】
印加部２２は、ＤＣ信号によって示される電圧値の直流電圧を生成して配線３０に印加する。たとえば、印加部２２は、整流回路、力率改善回路、平滑回路、電力変換回路等を含んで構成される。
【００３２】
整流回路は、系統電源から供給される交流電圧を整流して、脈流の交流電圧に変換する。たとえば、整流回路は、全波整流回路であり、ダイオードブリッジにより構成される。力率改善回路は、整流回路から出力される脈流の交流電圧を直流電圧に変換して出力する回路であり、たとえば、昇圧電源回路、昇降圧電源回路、降圧電源回路等により実現される。このような力率改善回路は、入力される電流波形の歪を低減し、高調波を抑制することができる。平滑回路は、入力される電流の変動を吸収して、安定した直流電圧を後段の電力変換回路に供給する平滑回路であり、たとえば、電解コンデンサ等といった平滑コンデンサにより実現される。電力変換回路は、平滑回路を介して供給される直流電圧を、変換部２１から入力されるＤＣ信号によって示される電圧値の直流電圧に変換して配線３０に印加する。
【００３３】
制御部２３は、各種の情報処理を実行する演算装置であり、たとえば、ＣＰＵ、ＭＰＵ等の電子回路や、ＡＳＩＣ、ＦＰＧＡ等の集積回路を採用できる。制御部２３は、たとえば、後述する調光カーブにおける第２区間の調整を行う。
【００３４】
記憶部２４は、たとえば、ＲＡＭ（Random  Access  Memory）、フラッシュメモリ（Flash  Memory）等の半導体メモリ素子、または、ハードディスク、光ディスク等の記憶装置によって実現される。記憶部２４は、たとえば、調光装置２０と照明機器１００との間の配線３０の長さを示す配線長情報を記憶する。配線長情報には、少なくとも、調光装置２０からの配線長が最も短い照明機器１００（ここでは、照明機器１００ａ）と調光装置２０との間の配線長と、調光装置２０からの配線長が最も長い照明機器（ここでは、照明機器１００ｃ）と調光装置２０との間の配線長とが含まれる。また、記憶部２４には、配線３０の単位長さ当たりの電圧降下の大きさの情報も記憶される。
【００３５】
制御部２３は、たとえば、複数の照明機器１００の設置後、調光装置２０が備える図示しない操作部を介して入力された配線長情報を記憶部２４に記憶させてもよい。また、配線長情報は、照明制御装置１０の操作部１４を介して制御部２３に入力されてもよい。
【００３６】
つづいて、配線３０の構成例について説明する。配線３０は、調光装置２０から照明機器１００へと直流電力を伝達する配線である。たとえば、配線３０は、照明システム１が設置された施設において、調光装置２０から各照明機器１００が設置されている設置位置まで延伸される電源線と、設置位置から調光装置２０まで戻る電源線とにより実現される。
【００３７】
つづいて、照明機器１００の構成例について説明する。照明機器１００は、受電部１０１と、測定部１０２と、制御部１０３と、光源部１０４とを備える。
【００３８】
受電部１０１は、配線３０を介して供給される直流電力を受電する。測定部１０２は、所定の時間間隔で受電部１０１が受電した直流電圧値を測定する。そして、制御部１０３は、測定部１０２によって測定された直流電圧値に応じた調光度で点灯するように光源部１０４を制御する。光源部１０４は、受電部１０１によって受電された電圧値に基づく直流電圧を用いて点灯するＬＥＤ等の半導体発光素子である。
【００３９】
実施形態に係る照明システム１では、調光装置２０と照明機器１００とを接続する配線３０において電圧降下が生じる。この電圧降下の大きさは、調光装置２０から各照明機器１００までの配線３００の長さによって変化するため、配線長が異なる照明機器１００間で明るさにバラツキが生じるおそれがある。
【００４０】
この点について図３を参照して説明する。図３は、電圧降下によって照明機器１００間で明るさにバラツキが生じる様子の一例を示した図である。図３には、一例として、調光装置２０から配線３０に対して１００Ｖの直流電圧が印加された場合に、照明機器１００ａと照明機器１００ｃとの間で明るさにバラツキが生じる様子を示している。
【００４１】
図３に示すように、照明機器１００ａと照明機器１００ｃとでは配線３０の長さに差がある。このため、配線長が最も短い照明機器１００ａにたとえば１００Ｖの直流電圧が供給されたとしても、照明機器１００ａおよび照明機器１００ｃ間の配線３０によって生じる電圧降下により、配線長が最も長い照明機器１００ｃには１００Ｖ未満、たとえば、９５Ｖの直流電圧しか供給されない場合がある。すなわち、照明システム１においては、照明機器１００ａおよび照明機器１００ｃ間の配線３０において生じる電圧降下により、照明機器１００ａに供給される直流電圧と、照明機器１００ｃに供給される直流電圧とで、電圧値に差が生じる場合がある。このような場合、照明機器１００ａは１００％の調光度で点灯しているにもかかわらず、照明機器１００ｃは１００％未満、たとえば、９５％の調光度でしか点灯しない状況となる。すなわち、複数の照明機器１００間で明るさにバラツキが生じることとなる。なお、電圧降下は、配線３０に印加される直流電圧の電圧値が大きくなるほど大きくなるため、照明機器１００の調光度が１００％に近付くほど、照明機器１００間における明るさのバラツキは目立ちやすくなる。
【００４２】
そこで、実施形態に係る照明システム１では、照明制御装置１０から入力された調光信号を電圧値に変換する際に、配線３０による電圧降下を考慮した調光カーブに従って調光信号を電圧値に変換することとした。
【００４３】
＜調光カーブについて＞
実施形態に係る調光装置２０において用いられる調光カーブの一例について図４を参照して説明する。図４は、実施形態に係る調光カーブの一例を示す図である。図４に示す例では、照明制御装置１０から調光装置２０へ入力される調光信号が示す調光度（パーセント）を横軸とし、調光装置２０から配線３０へ出力される直流電圧の電圧値（ボルト）を縦軸とする調光カーブのグラフを示している。
【００４４】
図４に示すように、実施形態に係る調光カーブは、第１区間と、第１区間に続く第２区間とを含む。第１区間は、調光度Ｄ０（ここでは、０％）から調光度Ｄ１（０％＜Ｄ１＜１００％、ここでは９５％）までの区間であり、この第１区間において、電圧値は、Ｖ０からＶ１まで直線的に増加する。一方、第２区間は、調光度Ｄ１（ここでは、９５％）から調光度Ｄ２（ここでは、１００％）までの区間であり、この第２区間において、電圧値は、Ｖ１からＶ２まで直線的に増加する。なお、第２区間の長さは、第１区間の長さよりも短いものとする。
【００４５】
第２区間の始点Ｐ１における電圧値Ｖ１は、複数の照明機器１００のうち、調光装置２０からの配線長が最も短い照明機器１００ａが１００％の調光度で点灯する電圧値に設定される。かかる始点Ｐ１において、照明機器１００ａ以外の照明機器１００の少なくとも一部は、配線３０による電圧降下の影響により１００％の調光度で点灯することができないものとする。すなわち、始点Ｐ１では、全光状態の照明機器１００と全光状態ではない照明機器１００とが混在した状態、つまり、照明機器１００間で明るさにバラツキがある状態となっている。
【００４６】
また、第２区間の終点Ｐ２における電圧値Ｖ２は、複数の照明機器１００のうち、調光装置２０からの配線長が最も長い照明機器１００ｃが１００％の調光度で点灯する電圧値に設定される。具体的には、第２区間の終点Ｐ２における電圧値Ｖ２は、照明機器１００を１００％の調光度で点灯させるのに必要な電圧値として予め規定された（つまり、電圧降下を考慮していない）電圧値に対し、調光装置２０からの配線長が最も長い照明機器１００ｃと調光装置２０との間の配線３０において発生する電圧降下分を加えた電圧値以上の電圧値に設定される。
【００４７】
調光装置２０の制御部２３は、第２区間の終点Ｐ２における電圧値Ｖ２を記憶部２４に記憶された配線長情報等に基づいて設定することができる。たとえば、制御部２３は、照明機器１００ｃと調光装置２０との間の配線長に、配線３０の単位長さ当たりの電圧降下の大きさを乗じることで、照明機器１００ｃと調光装置２０との間の配線３０において生じる電圧降下の大きさを算出する。そして、制御部２３は、予め規定された電圧値に上記算出した電圧降下分を加えた値を電圧値Ｖ２として設定する。
【００４８】
このように、第２区間の終点Ｐ２における電圧値Ｖ２は、電圧降下の影響が最も大きい照明機器１００ｃを１００％の調光度で点灯させることができる電圧値に設定される。これにより、第２区間の終点Ｐ２においては、照明機器１００ｃを含む全ての照明機器１００が１００％の調光度で点灯した状態となる。すなわち、照明機器１００間で明るさにバラツキがない状態とすることができる。
【００４９】
また、実施形態に係る制御部２３は、配線長に基づいて第２区間を調整可能であるため、配線長が異なる種々の施設に対して実施形態に係る調光カーブを適用することができる。
【００５０】
また、図４に示す調光カーブにおいて、第２区間における始点Ｐ１と終点Ｐ２とを結ぶ直線の傾き（すなわち、電圧値の増加率）は、第１区間における始点Ｐ０と終点Ｐ１とを結ぶ直線の傾きよりも大きくなるように設定される。これにより、第２区間における電圧値の増加率を第１区間における増加率と同じにした場合と比較して、照明機器１００間で明るさにバラツキがある状態からバラツキがない状態となるまでの時間を短くすることができる。したがって、実施形態に係る調光装置２０によれば、たとえば調光度を１００％に上昇させる操作が行われた場合に、配線長が異なる照明機器１００間における明るさのバラツキを目立ちにくくすることができる。
【００５１】
なお、図４に示す電圧値Ｖ０は、たとえば、照明機器１００を駆動させるのに最低限必要な電圧値である。
【００５２】
＜調光制御の一例について＞
次に、上述した調光カーブを用いて行われる調光制御の一例について図５Ａ〜図５Ｃを参照して説明する。図５Ａ〜図５Ｃは、第２区間において調光度をＤ１（９５％）からＤ２（１００％）に上昇させる場合における調光制御の一例を示す図である。図５Ａには、第２区間の始点Ｐ１における各照明機器１００ａ〜１００ｃの点灯状況を、図５Ｃには、第２区間の終点Ｐ２における各照明機器１００ａ〜１００ｃの点灯状況を示している。また、図５Ｂには、第２区間の途中における各照明機器１００ａ〜１００ｃの点灯状況を示している。
【００５３】
照明制御装置１０から調光度Ｄ１（９５％）を示す調光信号が入力されると、調光装置２０の変換部２１は、図４に示す調光カーブに従って、調光度Ｄ１を電圧値Ｖ１に変換する。電圧値Ｖ１は、上述したように、配線長が最も短い照明機器１００ａが１００％の調光度で点灯する電圧値である。ここでは、電圧値Ｖ１を１００Ｖとする。
【００５４】
図５Ａに示すように、調光装置２０は、電圧値Ｖ１（１００Ｖ）の直流電圧を配線３０に印加する。この結果、照明機器１００ａに１００Ｖの直流電圧が供給され、照明機器１００ａは、１００％の調光度で点灯する。一方、照明機器１００ａよりも配線長が長い照明機器１００ｂ，１００ｃには、電圧降下により、１００Ｖ未満の直流電圧が供給されることとなる。ここでは、照明機器１００ｂに９８Ｖの直流電圧が供給され、照明機器１００ｃに９５Ｖの直流電圧が供給されるものとし、この結果、照明機器１００ｂは９８％の調光度で点灯し、照明機器１００ｃは９５％の調光度で点灯するものとする。
【００５５】
つづいて、照明制御装置１０からＤ１（９５％）よりも高い調光度（たとえば、９７％）を示す調光信号が入力されると、調光装置２０の変換部２１は、図４に示す調光カーブに従って、入力された調光度を電圧値に変換する。そして、図５Ｂに示すように、調光装置２０は、変換した電圧値（ここでは、１０２Ｖ）の直流電圧を配線３０に印加する。この結果、照明機器１００ａよりも配線長が長い照明機器１００ｂにも１００Ｖの直流電圧が供給され、照明機器１００ｂが１００％の調光度で点灯する。一方、照明機器１００ｂよりも配線長がさらに長い照明機器１００ｃには、電圧降下によって１００Ｖ未満の電圧が供給される。ここでは、照明機器１００ｃに９７Ｖの直流電圧が供給され、この結果、照明機器１００ｃは９７％の調光度で点灯するものとする。なお、照明機器１００の制御部１０３は、１００Ｖ以上の直流電圧が供給された場合に、光源部１０４を１００％の調光度で点灯させる制御を行う。このため、１０２Ｖの直流電圧が供給された照明機器１００ａも１００％の調光度で点灯する。
【００５６】
つづいて、照明制御装置１０から調光度Ｄ２（１００％）を示す調光信号が入力されると、調光装置２０の変換部２１は、図４に示す調光カーブに従って、調光度Ｄ２を電圧値Ｖ２に変換する。電圧値Ｖ２は、上述したように、配線長が最も長い照明機器１００ｃが１００％の調光度で点灯する電圧値である。ここでは、電圧値Ｖ２を１０５Ｖとする。
【００５７】
図５Ｃに示すように、調光装置２０は、電圧値Ｖ２（１０５Ｖ）の直流電圧を配線３０に印加する。この結果、照明機器１００ｃに１０５Ｖの直流電圧が供給され、照明機器１００ｃは、１００％の調光度で点灯する。また、照明機器１００ａ，１００ｂを含むその他の照明機器１００にも１００Ｖ以上の直流電圧が供給される。したがって、操作者の意図通り、全ての照明機器１００を１００％の調光度で点灯させることができる。しかも、図４に示すように、調光カーブは、第２区間における傾きが第１区間における傾きよりも大きくなるように設定される。これにより、配線長が最も短い照明機器１００ａが全光状態となってから配線長が最も長い照明機器１００ｃが全光状態となるまでの時間を短くすることができる。したがって、配線長が異なる照明機器１００間における明るさのバラツキを目立ちにくくすることができる。
【００５８】
このように、実施形態に係る調光装置２０は、区間の始点と終点とを結ぶ直線の傾きが第１の傾きとなる第１区間と、第１区間に続く区間であって、区間の始点と終点とを結ぶ直線の傾きが第１の傾きよりも大きい第２の傾きとなる第２区間とを含む調光カーブに従って調光信号を電圧値に変換することとしたため、配線長が異なる照明機器１００間における明るさのバラツキを軽減することができる。
【００５９】
＜変形例＞
上述した実施形態では、第２区間における調光カーブが直線である場合の例を示したが、第２区間における調光カーブは、必ずしも直線であることを要しない。以下、第２区間における調光カーブの変形例について図６Ａおよび図６Ｂを参照して説明する。図６Ａおよび図６Ｂは、第２区間における調光カーブの変形例を示す図である。
【００６０】
たとえば、図６Ａに示すように、第２区間における調光カーブは、始点Ｐ１から終点Ｐ２に向かって電圧値が対数関数的に増加する曲線であってもよい。かかる調光カーブとすることで、照明制御装置１０において複数の照明機器１００の調光度を徐々に１００％に近付ける操作が行われた場合に、全光状態となる照明機器１００の数を早期に増やすことができる。したがって、配線長が異なる照明機器１００間における明るさのバラツキをより目立ちにくくすることができる。
【００６１】
なお、図６Ａに示す第２区間における調光カーブは、必ずしも対数関数に従っている必要はなく、始点Ｐ１における電圧値Ｖ１を最小値とし、終点Ｐ２における電圧値Ｖ２を最大値とする上に凸の弧状の曲線であればよい。
【００６２】
また、図６Ｂに示すように、第２区間における調光カーブは、始点Ｐ１から終点Ｐ２に向かって電圧値が指数関数的に増加する曲線であってもよい。かかる調光カーブとすることで、たとえば、照明制御装置１０から入力される調光度が１００％に近付くほど調光度が１００％に達する照明機器１００が急激に増えていくため、配線長が異なる照明機器１００間における明るさのバラツキを目立ちにくくしつつ、操作者の意図により近い調光を実現することができる。
【００６３】
なお、図６Ｂに示す第２区間における調光カーブは、必ずしも指数関数に従っている必要はなく、始点Ｐ１における電圧値Ｖ１を最小値とし、終点Ｐ２における電圧値Ｖ２を最大値とする下に凸の弧状の曲線であればよい。
【００６４】
また、上述した実施形態では、理解を容易にするため、調光装置２０と照明機器１００ａとの間の配線３０における電圧降下を無視することとしたが、第２区間の始点Ｐ１における電圧値Ｖ１は、調光装置２０と照明機器１００ａとの間の配線３０における電圧降下を考慮した値に設定されてもよい。この場合、制御部２３は、記憶部２４に記憶された配線長情報等に基づいて電圧値Ｖ１を設定する。たとえば、制御部２３は、照明機器１００ａと調光装置２０との間の配線長に、配線３０の単位長さ当たりの電圧降下の大きさを乗じることで、照明機器１００ａと調光装置２０との間の配線３０において生じる電圧降下の大きさを算出する。そして、制御部２３は、予め規定された電圧値に上記算出した電圧降下分を加えた値を電圧値Ｖ１として設定する。
【００６５】
また、第２区間の始点Ｐ１における調光度Ｄ１は、第２区間における始点Ｐ１と終点Ｐ２とを結ぶ直線の傾きが、第１区間における始点Ｐ０と終点Ｐ１とを結ぶ直線の傾き以下とならない範囲において変更可能に構成されてもよい。たとえば、調光装置２０の制御部２３は、図示しない操作部等への入力操作に基づき、調光度Ｄ１を変更することができる。
【００６６】
また、第１区間の調光カーブも必ずしも直線であることを要さず、曲線等の任意の調光カーブを採用してもよい。
【００６７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６８】
１  照明システム
１０  照明制御装置
１１  通信部
１２  表示部
１３  制御部
１４  操作部
２０  調光装置
２１  変換部
２２  印加部
２３  制御部
２４  記憶部
３０  配線
１００，１００ａ〜１００ｃ  照明機器
１０１  受電部
１０２  測定部
１０３  制御部
１０４  光源部
【図１】
2020053349.tif 000003
【図２】
2020053349.tif 000004
【図３】
2020053349.tif 000005
【図４】
2020053349.tif 000006
【図５Ａ】
2020053349.tif 000007
【図５Ｂ】
2020053349.tif 000008
【図５Ｃ】
2020053349.tif 000009
【図６Ａ】
2020053349.tif 000010
【図６Ｂ】
2020053349.tif 000011